(57)【要約】      （修正有）【課題】マークの構造が簡素であり、作製プロセスが容易となるマーク付きリムを提供する。【解決手段】マーク付きリム１は、外面を備えるリム本体１０と、外面に嵌め設けられており、リム本体１０に隣接する外周縁を備え、外周縁は外面から突出しないマーク２０と、を備える。【選択図】図３
0003232646.tif 000002
【実用新案登録請求の範囲】
【請求項１】
外面を備えるリム本体と、
前記外面に嵌め設けられており、前記リム本体に隣接する外周縁を備え、前記外周縁は前記外面から突出しないマークと、を備えることを特徴とする、
マーク付きリム。
【請求項２】
前記リム本体は、多数の繊維と、前記多数の繊維を結合する結合材と、を備え、前記結合材は、前記多数の繊維を覆い、前記外面を有することを特徴とする、請求項１に記載のマーク付きリム。
【請求項３】
前記外周縁と前記外面とは、高さが同じであり、互いに隣接することを特徴とする、請求項１に記載のマーク付きリム。
【請求項４】
前記マークの全面と前記外面とは、高さが同じであり、互いに隣接することを特徴とする、請求項１に記載のマーク付きリム。
【請求項５】
前記マークは前記外面から露出することを特徴とする、請求項１に記載のマーク付きリム。
【請求項６】
前記外面と前記マークとの色は互いに異なることを特徴とする、請求項１に記載のマーク付きリム。
【考案の詳細な説明】
【技術分野】
【０００１】
本考案は、マーク付きリムとその作製プロセスに関するものである。
【背景技術】
【０００２】
従来の自転車のリムとフレームとのマーク又は飾りは、フレーム又はリムを作製した後、水転写方式により、自転車のリム又はフレームに付けられる。マーク又は飾りを付けようとするときには、ステッカーを、水に浸入して軟化した後、目標とする位置に貼り付けて、当該位置にある空気及び余分の水を除去して、ステッカーの表面にある水分及び残留接着剤を除去して、最後に、低温で当該位置を加熱することにより完全に乾燥する。
しかし、このような作製プロセスは、複雑で工数がかなり掛かり、マークがリムの表面から突出する欠点があった。
【考案の概要】
【考案が解決しようとする課題】
【０００３】
本考案の主な目的は、マークの構造が簡素であり、作製プロセスが容易となるマーク付きリムとその作製プロセスを提供することにある。
【課題を解決するための手段】
【０００４】
本考案のマーク付きリムは、外面を備えるリム本体と、外面に嵌め設けられており、リム本体に隣接する外周縁を備え、外周縁は外面から突出しないマークと、を備えることを特徴とする。
【０００５】
本考案のマーク付きリムは、リム本体は、多数の繊維と、多数の繊維を結合する結合材と、を備え、結合材は、多数の繊維を覆い、外面を有することを特徴とする。
【０００６】
本考案のマーク付きリムは、外周縁と外面とは、高さが同じであり、互いに隣接することを特徴とする。
【０００７】
本考案のマーク付きリムは、マークの全面と外面とは、高さが同じであり、互いに隣接することを特徴とする。
【０００８】
本考案のマーク付きリムは、マークは外面から露出することを特徴とする。
【０００９】
本考案のマーク付きリムは、外面とマークとの色は互いに異なることを特徴とする。
【００１０】
マーク付きリムの作製プロセスは、請求項１から６の何れかの１項に記載のマーク付きリムに適用され、型内面を備える金型を用意するステップと、マークがリム本体の外面と型内面との間に位置するように、リム本体とマークとを金型に入れるステップと、マークとリム本体を結合するステップと、を含むことを特徴とする。
【００１１】
マーク付きリムの作製プロセスは、マークは、リム本体または型内面に貼り付けられていることを特徴とする。
【００１２】
マーク付きリムの作製プロセスは、マークの外周縁は、型内面に連続的に貼り付けられていることを特徴とする。
【００１３】
マーク付きリムの作製プロセスは、加熱により、マークとリム本体を結合することを特徴とする。
【考案の効果】
【００１４】
本考案のマーク付きリムとその作製プロセスには、マークの構造が簡素であり、作製プロセスが容易となるという効果を有する。
【図面の簡単な説明】
【００１５】
【図１】本考案の実施の形態に係るマーク付きリムの作製方法を示す斜視図である。
【図２】本考案の実施の形態に係るリムを示す斜視図である。
【図３】本考案の実施の形態に係るマーク付きリムの作製方法を示す分解斜視図である。
【図４】図１の断面図である。
【図５】図４の一部を示す拡大図である。
【図６】図５の一部を示す拡大図である。
【考案を実施するための形態】
【００１６】
以下、本考案の実施の形態を図面に基づいて説明する。
【００１７】
図１から図６を参照する。本考案の実施の形態に係るマーク付きリム１は、リム本体１０と、マーク２０と、を備える。
【００１８】
リム本体１０は外面１１を備える。マーク２０は、外面１１に嵌め設けられており、リム本体１０に隣接する外周縁２１を備える。外周縁２１は外面１１から突出しないため、リム１は、平坦であり、見栄えが良く、マーク２０は、外力を受けにくく、変形せず、脱落しない。
【００１９】
リム本体１０は、多数の繊維１２と、多数の繊維１２を結合する結合材１３と、を備える。結合材１３は、多数の繊維１２を覆い、外面１１を有する。多数の繊維１２は、例えば炭素繊維、ガラス繊維、又はクロビラ繊維などを採用する。
結合材１３は、例えば樹脂を採用し、加熱して固化することにより、多数の繊維１２を硬化することが可能である。しかし、リム本体は、単一の材料で構成してもいいし、その他の複合材で構成してもいいし、一体に成形されてもよい。
【００２０】
外周縁２１と外面１１とは、高さが同じであり、互いに隣接する。これにより、マーク２０が引かれて変形し、又は脱落することを回避することが可能である。本実施の形態では、マーク２０の全面と外面１１とは、高さが同じであり、互いに隣接する。マーク２０は外面１１から露出する。外面１１とマーク２０との色が互いに異なるため、識別されやすい。しかし、外周縁は外面より低くてもよい。
【００２１】
本考案に係るマーク付きリム１の作製プロセスは、型内面２Ａを備える金型２を用意するステップと、マーク２０がリム本体１０の外面１１と型内面２Ａとの間に位置するように、リム本体１０とマーク２０とを金型２に入れるステップと、マーク２０とリム本体１０を結合するステップと、を含む。これにより、リム本体１０にマーク２０を迅速で簡単に結合することが可能である。
【００２２】
リム１の作製プロセスにおいて、リム本体１０又は型内面２Ａにマーク２０を予め貼り付けてもよい。金型２において、マーク２０の外周縁２１を型内面２Ａに連続的に接触することが好ましい。これにより、結合材１３がマーク２０の内部に溢れることを回避することが可能であり、マーク２０の貼付け位置を安定化することが可能である。これによって、マーク２０が金型２内で力を受けて皺を発生し、又は変位することを回避することが可能である。具体的には、加熱により、マーク２０とリム本体１０を結合する。
本実施の形態では、多数の繊維１２は、リム本体１０に巻き付けられたドライ炭素糸であり、マーク２０がリム本体１０の外面１１に貼り付けられており、リム本体１０を金型２に入れた後、結合材１３を注入して、加熱加圧することにより、リム本体１０を固化して成形すると同時に、マーク２０を結合する。これにより、完成品を直接得ることが可能であり、ラベルを別に貼り付けることが必要なくなる。
また、多数の繊維１２は、例えば結合材１３に予めに浸入された繊維材でもよい。これによって、金型２でリム本体１０を加熱して成形する際、同じように、マーク２０を結合することが可能であり、加工のプロセスを簡単化することが可能である。
【００２３】
特に、前記マークは、接着剤層が設けられているステッカーでもいいし、接着剤層が設けられておらず、前記結合材により前記リム本体に貼り付けられてもよい。前記マークは、前記型内面に設けられているマーク構造で、前記リム本体の外面と接触することにより、粗さや色が異なる。
【００２４】
上記では、種々の実施の形態および変形例を説明したが、本考案はこれらの内容に限定されるものではない。本考案の技術的思想の範囲内で考えられるその他の態様も本考案の範囲内に含まれる。
【符号の説明】
【００２５】
１  リム
２  金型
２Ａ  型内面
１０  リム本体
１１  外面
１２  多数の繊維
１３  結合材
２０  マーク
２１  外周縁
【図１】
0003232646.tif 000003
【図２】
0003232646.tif 000004
【図３】
0003232646.tif 000005
【図４】
0003232646.tif 000006
【図５】
0003232646.tif 000007
【図６】
0003232646.tif 000008